(57)【要約】  複数のアンテナを備え、所定単位のリソース毎にユーザを割り当てた無線信号を送信する送信機において、前記複数のアンテナのうち第１のアンテナに対応する第１の参照信号（Ｒ１〜Ｒ４）を前記所定単位の第１のリソース（ＲＢ＃２）及び第２のリソース（ＲＢ＃１，ＲＢ＃３〜ＲＢ＃Ｎ）にそれぞれマッピングし、前記複数のアンテナのうち第２のアンテナに対応する第２の参照信号（Ｒ５〜Ｒ８）を該第１のリソース（ＲＢ＃２）にマッピングし該第２のリソース（ＲＢ＃１，ＲＢ＃３〜ＲＢ＃Ｎ）にはマッピングしないで生成された無線信号を送信する。
2012063351.tif 000002
【特許請求の範囲】
【請求項１】
複数のアンテナを備え、所定単位のリソース毎にユーザを割り当てた無線信号を送信する送信機と、該無線信号を受信する受信機とを有する無線通信システムにおいて、
前記送信機は、
前記複数のアンテナのうち第１のアンテナに対応する第１の参照信号を前記所定単位の第１のリソース及び第２のリソースにそれぞれマッピングし、前記複数のアンテナのうち第２のアンテナに対応する第２の参照信号を該第１のリソースにマッピングし該第２のリソースにはマッピングしないで生成された無線信号を送信する送信部を備え、
前記第１のリソースに対応する第１の受信機は、
前記無線信号を受信する第１の受信部と、
受信した前記無線信号に含まれる前記第１の参照信号及び前記第２の参照信号をそれぞれ受信処理する第１の処理部とを備え、
前記第２のリソースに対応する第２の受信機は、
前記無線信号を受信する第２の受信部と、
受信した前記無線信号に含まれる前記第１の参照信号を受信処理する第２の処理部とを備えた、
ことを特徴とする、無線通信システム。
【請求項２】
前記送信機の前記送信部は、前記第２の参照信号のマッピングに関する制御信号を送信し、
前記第１の受信機の前記第１の受信部は、前記制御信号を受信し、
前記第１の受信機の前記第１の処理部は、前記制御信号に基づいて前記無線信号に含まれる前記第２の参照信号を受信処理する、
ことを特徴とする、請求項１記載の無線通信システム。
【請求項３】
前記第１の受信機の前記第１の処理部は、
前記無線信号に含まれる前記第１の参照信号を受信処理し、
受信処理した前記第１の参照信号及び前記第２の参照信号に基づいてチャネル推定を行ない、前記チャネル推定の結果を前記送信機に送信する、
ことを特徴とする、請求項２記載の無線通信システム。
【請求項４】
前記送信機は、
前記チャネル推定結果の結果を受信する第３の受信部と、
受信した前記チャネル推定結果の結果に基づいて、プリコーディング処理又はビームフォーミング処理を行なう第３の処理部とを備えた、
ことを特徴とする、請求項３記載の無線通信システム。
【請求項５】
複数のアンテナを備え、所定単位のリソース毎にユーザを割り当てた無線信号を送信する送信機において、
前記複数のアンテナのうち第１のアンテナに対応する第１の参照信号を前記所定単位の第１のリソース及び第２のリソースにそれぞれマッピングし、前記複数のアンテナのうち第２のアンテナに対応する第２の参照信号を該第１のリソースにマッピングし該第２のリソースにはマッピングしないで生成された無線信号を送信する送信部を備えた、
ことを特徴とする、送信機。
【請求項６】
複数のアンテナを備えた送信機において所定単位のリソース毎にユーザを割り当てられ送信された無線信号を受信する受信機において、
前記送信機から、前記複数のアンテナのうち第１のアンテナに対応する第１の参照信号を前記所定単位の第１のリソース及び第２のリソースにそれぞれマッピングし、前記複数のアンテナのうち第２のアンテナに対応する第２の参照信号を該第１のリソースにマッピングし該第２のリソースにはマッピングしないで生成された無線信号を受信する受信部と、
受信した前記無線信号に含まれる前記第１の参照信号及び第２の参照信号をそれぞれ受信処理する処理部とを備えた、
ことを特徴とする、受信機。
【請求項７】
複数のアンテナを備え、所定単位のリソース毎にユーザを割り当てた無線信号を送信する送信機と、該無線信号を受信する受信機とを有する無線通信システムに用いられる無線通信方法において、
前記送信機は、
前記複数のアンテナのうち第１のアンテナに対応する第１の参照信号を前記所定単位の第１のリソース及び第２のリソースにそれぞれマッピングし、前記複数のアンテナのうち第２のアンテナに対応する第２の参照信号を該第１のリソースにマッピングし該第２のリソースにはマッピングしないで生成された無線信号を送信し、
前記第１のリソースに対応する第１の受信機は、
前記無線信号を受信し、
受信した前記無線信号に含まれる前記第１の参照信号及び前記第２の参照信号をそれぞれ受信処理し、
前記第２のリソースに対応する第２の受信機は、
前記無線信号を受信し、
受信した前記無線信号に含まれる前記第１の参照信号を受信処理する、
ことを特徴とする、無線通信方法。
【請求項８】
前記送信機は、
前記第２の参照信号のマッピングに関する制御信号を送信し、
前記第１の受信機は、
前記送信機から受信した前記制御信号に基づいて前記無線信号に含まれる前記第２の参照信号を受信処理する、
ことを特徴とする、請求項７記載の無線通信方法。
【請求項９】
前記第１の受信機は、
前記無線信号に含まれる前記第１の参照信号を受信処理し、
受信処理した前記第１の参照信号及び前記第２の参照信号に基づいてチャネル推定を行ない、前記チャネル推定の結果を前記送信機に送信する、
ことを特徴とする、請求項８記載の無線通信方法。
【請求項１０】
前記送信機は、
前記チャネル推定結果の結果を受信し、
受信した前記チャネル推定結果の結果に基づいて、プリコーディング処理又はビームフォーミング処理を行なう、
ことを特徴とする、請求項９記載の無線通信方法。
【請求項１１】
所定単位のリソース毎にユーザを割り当てた無線信号を複数のアンテナを用いて送信する送信方法において、
前記複数のアンテナのうち第１のアンテナに対応する第１の参照信号を前記所定単位の第１のリソース及び第２のリソースにそれぞれマッピングし、前記複数のアンテナのうち第２のアンテナに対応する第２の参照信号を該第１のリソースにマッピングし該第２のリソースにはマッピングしないで生成された無線信号を送信する、
ことを特徴とする、送信方法。
【請求項１２】
所定単位のリソース毎にユーザを割り当てられ複数のアンテナを用いて送信された無線信号を受信する受信方法において、
送信機から、前記複数のアンテナのうち第１のアンテナに対応する第１の参照信号を前記所定単位の第１のリソース及び第２のリソースにそれぞれマッピングし、前記複数のアンテナのうち第２のアンテナに対応する第２の参照信号を該第１のリソースにマッピングし該第２のリソースにはマッピングしないで生成された無線信号を受信し、
受信した前記無線信号に含まれる前記第１の参照信号及び前記第２の参照信号をそれぞれ受信処理する、
ことを特徴とする、受信方法。
【発明の詳細な説明】
【技術分野】
【０００１】
本発明は、無線通信システム、送信機、受信機、無線通信方法、送信方法及び受信方法に関する。
【背景技術】
【０００２】
3rd Generation Partnership Project（３ＧＰＰ）によって標準化が進められているLong Term Evolution（ＬＴＥ）では、下り回線（ダウンリンク）の通信方式としてOrthogonal Frequency Division Multiple Access（ＯＦＤＭＡ）が採用されている。
ＬＴＥ方式の無線通信システムでは、基地局が、所定のリソースを用いて、報知信号を無線エリアに向けて送信する。この報知信号には、例えば、同期信号、参照信号（ＲＳ:Reference Signal、あるいはパイロット信号ともいう）、報知情報などが含まれる。【０００３】
参照信号は、一般に、データ信号に多重されて送信される。移動局などの端末は、受信した参照信号を用いて、チャネル推定を行なってデータを復調することができる。
また、端末は、参照信号を用いて適応Modulation and channel Coding Scheme（ＭＣＳ）制御、Multiple-Input Multiple-Output（ＭＩＭＯ）伝送におけるPrecoding Matrix Indicator（ＰＭＩ）制御または適応スケジューリングのための受信品質の測定を行なうことができる。端末により生成されたＰＭＩ及び受信品質情報（ＣＱＩ：Channel Quality Indicator）は基地局へフィードバックされる。【０００４】
このように、参照信号は、信号の振幅及び位相の基準として、データの復調に用いられたり、受信信号や干渉信号等のレベル測定に用いられたりする。
また、基地局が複数のアンテナを有する場合、基地局はダイバーシチ送信を行なうことができる。例えば、基地局は、複数のアンテナから複数のデータストリームを送信することにより、高速伝送を実現することが可能となる。【０００５】
ダイバーシチ送信された無線信号を誤りなく受信するため、端末は、基地局での送信に用いられたアンテナ群から端末までのチャネル状態を知る必要がある。このため、各参照信号は、基地局の各アンテナから互いに干渉なく送信される（直交性がある）ことが要求される。
そこで、ＬＴＥ方式の無線通信システムは、基地局の各アンテナから、時間領域及び周波数領域で互いに異なるタイミング及びキャリア周波数を用いて参照信号を送信する。【０００６】
なお、参照信号に関する既存の技術として、例えば、未使用サブキャリアの電力を考慮して、ビームフォーミングを適用するリソースブロックに対するデータ信号及び参照信号の配置及び電力の調整を行なう方法がある（下記特許文献１）。
【先行技術文献】
【特許文献】
【０００７】
【特許文献１】特開２０１０−４１４７３号公報
【発明の概要】
【発明が解決しようとする課題】
【０００８】
複数のアンテナを備えた基地局は、所定単位のリソース毎にユーザを割り当てた無線信号を端末宛に送信する。ここで、複数のアンテナにそれぞれ対応する参照信号は、例えば、図１に示すようにリソースにマッピング（配置）される。図１は、ＬＴＥで想定されている、４基のアンテナを有する基地局（以下、単に４アンテナ基地局という）における参照信号の送信方法を示す図である。ただし、図１において、縦軸（周波数領域）はサブキャリア単位であり、横軸（時間領域）はＯＦＤＭシンボル単位である。【０００９】
図１において、Ｒ１，Ｒ２，Ｒ３，Ｒ４は、それぞれ１番目，２番目，３番目，４番目のアンテナに対応する参照信号を示している。また、その他のシンボルには、例えば、各種データがマッピングされ得る。
さらに、図１において、太線の枠で囲まれた１つのブロック（周波数領域で１２サブキャリア、時間領域で１４ＯＦＤＭシンボル）の単位をリソースブロック（ＲＢ：Resource Block）と呼ぶ。なお、図１に示す例では、Ｎ（Ｎは自然数）個のリソースブロックが縦軸方向に並んで配置されている。【００１０】
また、１ＲＢを構成する１サブキャリア×１ＯＦＤＭシンボルの単位をリソースエレメント（ＲＥ：Resource Element）と呼ぶ。
この図１から分かるように、４アンテナ基地局は、参照信号の送信にかかるオーバーヘッドを最小限に抑えるため、３番目及び４番目のアンテナから送信されるＲ３及びＲ４の送信頻度を、１番目及び２番目のアンテナから送信されるＲ１及びＲ２の送信頻度に比して減少させている。【００１１】
なお、図１に示す参照信号Ｒ１〜Ｒ４は、基地局がカバーするセル（無線エリア）内のすべての端末（ユーザ）に対して共通であり、セル固有参照信号（ＣＲＳ：Cell-specific Reference Signal）と呼ばれる。
このように、ＬＴＥにおける基地局のアンテナ数は最大４基であり、ＬＴＥ準拠の端末は、最大４つのアンテナを有する基地局から送信された参照信号Ｒ１〜Ｒ４を用いて、データの復調および下り信号の品質測定を行なう。【００１２】
ところで、図１に示す例では、リソースに対して参照信号Ｒ１〜Ｒ４が占める割合は約１４．３％であり、また、２基のアンテナを有する基地局の場合、リソースに対して参照信号Ｒ１及びＲ２が占める割合は約９．５％となる。
移動通信システムなどの無線通信システムでは、参照信号の電力比率が、約１０〜１５％となるように、システム設計や各種のパラメータ設定がなされる傾向にある。【００１３】
一方、ＬＴＥ−Ａ（LTE-Advanced）では、８基のアンテナを有する基地局（以下、単に８アンテナ基地局という）が検討されている。また、今後、基地局のアンテナ数が増加することが考えられる。
しかしながら、５基以上のアンテナを有する基地局において、参照信号をどのようにリソースにマッピングするかについて、具体的な方法は提案されていない。【００１４】
そこで、本発明は、参照信号の効率的なマッピング方法を提供することを目的の１つとする。
なお、前記目的に限らず、後述する発明を実施するための形態に示す各構成により導かれる作用効果であって、従来の技術によっては得られない作用効果を奏することも本発明の他の目的の一つとして位置付けることができる。
【課題を解決するための手段】
【００１５】
（１）第１の案として、複数のアンテナを備え、所定単位のリソース毎にユーザを割り当てた無線信号を送信する送信機と、該無線信号を受信する受信機とを有する無線通信システムにおいて、前記送信機は、前記複数のアンテナのうち第１のアンテナに対応する第１の参照信号を前記所定単位の第１のリソース及び第２のリソースにそれぞれマッピングし、前記複数のアンテナのうち第２のアンテナに対応する第２の参照信号を該第１のリソースにマッピングし該第２のリソースにはマッピングしないで生成された無線信号を送信する送信部を備え、前記第１のリソースに対応する第１の受信機は、前記無線信号を受信する第１の受信部と、受信した前記無線信号に含まれる前記第１の参照信号及び前記第２の参照信号をそれぞれ受信処理する第１の処理部とを備え、前記第２のリソースに対応する第２の受信機は、前記無線信号を受信する第２の受信部と、受信した前記無線信号に含まれる前記第１の参照信号を受信処理する第２の処理部とを備えた、無線通信システムを用いることができる。【００１６】
（２）また、第２の案として、複数のアンテナを備え、所定単位のリソース毎にユーザを割り当てた無線信号を送信する送信機において、前記複数のアンテナのうち第１のアンテナに対応する第１の参照信号を前記所定単位の第１のリソース及び第２のリソースにそれぞれマッピングし、前記複数のアンテナのうち第２のアンテナに対応する第２の参照信号を該第１のリソースにマッピングし該第２のリソースにはマッピングしないで生成された無線信号を送信する送信部を備えた、送信機を用いることができる。【００１７】
（３）さらに、第３の案として、複数のアンテナを備えた送信機において所定単位のリソース毎にユーザを割り当てられ送信された無線信号を受信する受信機において、前記送信機から、前記複数のアンテナのうち第１のアンテナに対応する第１の参照信号を前記所定単位の第１のリソース及び第２のリソースにそれぞれマッピングし、前記複数のアンテナのうち第２のアンテナに対応する第２の参照信号を該第１のリソースにマッピングし該第２のリソースにはマッピングしないで生成された無線信号を受信する受信部と、受信した前記無線信号に含まれる前記第１の参照信号及び第２の参照信号をそれぞれ受信処理する処理部とを備えた、受信機を用いることができる。【００１８】
（４）また、第４の案として、複数のアンテナを備え、所定単位のリソース毎にユーザを割り当てた無線信号を送信する送信機と、該無線信号を受信する受信機とを有する無線通信システムに用いられる無線通信方法において、前記送信機は、前記複数のアンテナのうち第１のアンテナに対応する第１の参照信号を前記所定単位の第１のリソース及び第２のリソースにそれぞれマッピングし、前記複数のアンテナのうち第２のアンテナに対応する第２の参照信号を該第１のリソースにマッピングし該第２のリソースにはマッピングしないで生成された無線信号を送信し、前記第１のリソースに対応する第１の受信機は、前記無線信号を受信し、受信した前記無線信号に含まれる前記第１の参照信号及び前記第２の参照信号をそれぞれ受信処理し、前記第２のリソースに対応する第２の受信機は、前記無線信号を受信し、受信した前記無線信号に含まれる前記第１の参照信号を受信処理する、無線通信方法を用いることができる。【００１９】
（５）さらに、第５の案として、所定単位のリソース毎にユーザを割り当てた無線信号を複数のアンテナを用いて送信する送信方法において、前記複数のアンテナのうち第１のアンテナに対応する第１の参照信号を前記所定単位の第１のリソース及び第２のリソースにそれぞれマッピングし、前記複数のアンテナのうち第２のアンテナに対応する第２の参照信号を該第１のリソースにマッピングし該第２のリソースにはマッピングしないで生成された無線信号を送信する、送信方法を用いることができる。【００２０】
（６）また、第６の案として、所定単位のリソース毎にユーザを割り当てられ複数のアンテナを用いて送信された無線信号を受信する受信方法において、送信機から、前記複数のアンテナのうち第１のアンテナに対応する第１の参照信号を前記所定単位の第１のリソース及び第２のリソースにそれぞれマッピングし、前記複数のアンテナのうち第２のアンテナに対応する第２の参照信号を該第１のリソースにマッピングし該第２のリソースにはマッピングしないで生成された無線信号を受信し、受信した前記無線信号に含まれる前記第１の参照信号及び前記第２の参照信号をそれぞれ受信処理する、受信方法を用いることができる。
【発明の効果】
【００２１】
参照信号を効率的にマッピングすることが可能となる。
【図面の簡単な説明】
【００２２】
【図１】４アンテナ基地局における参照信号のマッピング例を示す図である。
【図２】８アンテナ基地局における参照信号のマッピング例を示す図である。
【図３】１６アンテナ基地局における参照信号のマッピング例を示す図である。
【図４】８アンテナ基地局における参照信号のマッピング例を示す図である。
【図５】１６アンテナ基地局における参照信号のマッピング例を示す図である。
【図６】本発明の一実施形態に係る無線通信システムの一例を示す図である。
【図７】図６に示す基地局の構成の一例を示す図である。
【図８】図６に示す端末の構成の一例を示す図である。
【図９】図６に示す端末の構成の一例を示す図である。
【発明を実施するための形態】
【００２３】
以下、図面を参照して本発明の実施の形態を説明する。ただし、以下に示す実施の形態は、あくまでも例示に過ぎず、以下に示す実施形態で明示しない種々の変形や技術の適用を排除する意図はない。即ち、実施形態及び各変形例を、本発明の趣旨を逸脱しない範囲で種々変形して実施できることはいうまでもない。
〔１〕一実施形態の説明
（１．１）基地局における参照信号の送信例
基地局のアンテナ数が増加すると、セル固有参照信号（ＣＲＳ）数も増加する。
【００２４】
例えば、８アンテナ基地局における参照信号の送信例について図２に示す。
この図２に示す例では、４アンテナ基地局と互換性を維持すべく、図１に示す参照信号Ｒ１〜Ｒ４に加えて参照信号Ｒ５〜Ｒ８がリソースにマッピングされている。
また、参照信号Ｒ１〜Ｒ８は、通信環境の変化を考慮し、なるべくリソース上にばらばらになるようにマッピングされている。なお、参照信号の送信にかかるオーバーヘッドを最小限に抑えるため、参照信号Ｒ５〜Ｒ８の送信頻度も、参照信号Ｒ３及びＲ４の送信頻度と同様に、参照信号Ｒ１及びＲ２の送信頻度に比して減少させている。
【００２５】
さらに、例えば、１６基のアンテナを有する基地局（以下、単に１６アンテナ基地局という）における参照信号の送信例について図３に示す。
この図３に示す例では、４アンテナ基地局及び８アンテナ基地局と互換性を維持すべく、図２に示す参照信号Ｒ１〜Ｒ８に加えて参照信号Ｒ９〜Ｒ１６がリソースにマッピングされている。
【００２６】
また、参照信号Ｒ１〜Ｒ１６は、通信環境の変化を考慮し、なるべくリソース上にばらばらになるようにマッピングされている。なお、参照信号の送信にかかるオーバーヘッドを最小限に抑えるため、参照信号Ｒ９〜Ｒ１６の送信頻度も、参照信号Ｒ３〜Ｒ８の送信頻度と同様に、参照信号Ｒ１及びＲ２の送信頻度に比して減少させている。
しかしながら、図２及び図３に示す例では、図１に示す例においてデータに割当てていたリソースを参照信号Ｒ５〜Ｒ８及びＲ９〜Ｒ１６に割当てているので、リソースに対する参照信号の占有比率が図１に示す例に比して大きくなっている。
【００２７】
図２に示す例では、リソースに対して参照信号Ｒ１〜Ｒ８が占める割合は約２３．８％であり、また、図３に示す例では、リソースに対して参照信号Ｒ１〜Ｒ１６が占める割合は約４２．９％にもなる。
以上のように、基地局のアンテナ数が増加すると、参照信号の送信電力や、参照信号に割り当てられるリソースが増加し、ユーザデータの送信効率が低下することがある。
【００２８】
ところで、参照信号は、一部の端末（ユーザ）のみに送信されてもよい。
例えば、５以上のアンテナを用いてプリコーディングを行なう場合、全端末（ユーザ）でプリコーディングが実施されることは考えにくく、５以上のアンテナに対応する参照信号は、対応する数のアンテナを搭載したハイエンドな一部の端末（ユーザ）のみで要求されることが多い。
【００２９】
そこで、本例では、所定単位のリソース毎にユーザが割り当てられた無線信号において、前記所定単位のリソースの一部に、一部の端末（ユーザ）宛の参照信号（ユーザ個別アンテナ間直交パイロットともいう）をマッピングする。
例えば、８アンテナ基地局の場合、図４に示すように、参照信号Ｒ１〜Ｒ４をＲＢ＃１〜ＲＢ＃Ｎにマッピングし、参照信号Ｒ５〜Ｒ８をＲＢ＃２にマッピングしその他のＲＢ＃１，ＲＢ＃３〜ＲＢ＃Ｎにはマッピングしない。
【００３０】
例えば、１６アンテナ基地局の場合、図５に示すように、参照信号Ｒ１〜Ｒ４をＲＢ＃１〜ＲＢ＃Ｎにマッピングし、参照信号Ｒ５〜Ｒ１６をＲＢ＃２にマッピングしその他のＲＢ＃１，ＲＢ＃３〜ＲＢ＃Ｎにはマッピングしない。
これにより、基地局のアンテナ数が増加しても、リソースにおける参照信号の占有比率の増加を抑えることが可能となる。
【００３１】
例えば、全リソースの１／２０に参照信号Ｒ５〜Ｒ８をマッピングした場合、リソースに対して参照信号Ｒ１〜Ｒ８が占める割合は約１４．７％となり、全リソースの１／２０に参照信号Ｒ５〜Ｒ１６をマッピングした場合、リソースに対して参照信号Ｒ１〜Ｒ１６が占める割合は約１５．７％となり、アンテナ増加時のリソース占有率の増加を大幅に抑制することができる。
【００３２】
（１．２）無線通信システムの構成例
図６は一実施形態に係る無線通信システムの構成の一例を示す図である。
この図６に示す無線通信システム１０は、例示的に、基地局２０と、端末（ＵＥ：User Equipment）３０と、端末（ＵＥ）４０−１，４０−２とをそなえる。なお、以下では、端末４０−１，４０−２を区別しない場合、単に端末４０と表記する。また、基地局２０，端末３０及び端末４０の数は、図６に例示する数に限定されない。さらに、例えば、端末３０及び４０はユーザによって移動可能で、その意味で、無線移動端末あるいは移動局（ＭＳ：Mobile Station）と同義である。
【００３３】
ここで、基地局２０は、セルやセクタなどで構成される無線エリア５０を提供する。例えば、基地局２０は、自局２０が提供する無線エリア５０内に位置する端末３０及び４０と無線通信することができる。
また、基地局２０は、複数のアンテナを備え、所定単位のリソース毎にユーザを割り当てた無線信号を送信する送信機の一例として機能する。
【００３４】
一方、端末３０及び４０は、自局３０及び４０が属する無線エリア５０を提供する基地局２０と無線通信することができる。即ち、端末３０及び４０は、送信機としての基地局２０から無線信号を受信する機能を具備する。
上記の無線通信システム１０において、本例では、基地局２０が、端末３０に割り当てられる第１のリソース（例えば、ＲＢ＃２）に、前記複数のアンテナのうち第１のアンテナに対応する第１の参照信号Ｒ１〜Ｒ４及び前記複数のアンテナのうち第２のアンテナに対応する第２の参照信号Ｒ５〜Ｒ８（またはＲ５〜Ｒ１６）をそれぞれマッピングするとともに、端末４０に割り当てられる第２のリソース（例えば、ＲＢ＃１，ＲＢ＃３〜ＲＢ＃Ｎ）に、第１の参照信号Ｒ１〜Ｒ４をマッピングし第２の参照信号Ｒ５〜Ｒ８（またはＲ５〜Ｒ１６）をマッピングしないで無線信号を生成し送信する。
【００３５】
また、第１のリソースに対応する第１の受信機としての端末３０は、基地局２０からの無線信号を受信し、受信した前記無線信号に含まれる第１の参照信号Ｒ１〜Ｒ４及び第２の参照信号Ｒ５〜Ｒ８（またはＲ５〜Ｒ１６）をそれぞれ受信処理する。
さらに、第２のリソースに対応する第２の受信機としての端末４０は、基地局２０からの無線信号を受信し、受信した前記無線信号に含まれる第１の参照信号Ｒ１〜Ｒ４を受信処理する。
【００３６】
以下、基地局２０，端末３０及び４０の構成の一例について説明する。なお、以下に説明する基地局２０，端末３０及び４０の各構成は、あくまで一例であり、本発明は以下に示すような構成に限定されないのはいうまでもない。
（１．３）基地局２０の構成例
図７は一実施形態に係る基地局２０の構成の一例を示す図である。
【００３７】
この図７に示す基地局２０は、例示的に、処理部２１と、送受信部２２とをそなえる。
処理部２１は、例えば、例えば、リソースブロック（ＲＢ）などの所定単位のリソース毎にユーザを割り当てた無線信号を生成する。
このため、処理部２１は、例示的に、ユーザデータ生成部２１１と、第１参照信号生成部２１２と、第１制御信号生成部２１３と、第２参照信号生成部２１４と、第２制御信号生成部２１５と、リソースマッピング部２１６と、制御部２１７とをそなえる。
【００３８】
ここで、ユーザデータ生成部２１１は、端末３０及び４０宛のユーザデータを生成する。ユーザデータ生成部２１１により生成されたユーザデータは、リソースマッピング部２１６へ送出される。
また、第１参照信号生成部２１２は、複数のアンテナ２２２のうち第１のアンテナ（例えば、アンテナ２２２−１〜２２２−４）に対応する第１の参照信号Ｒ１〜Ｒ４を生成する。第１参照信号生成部２１２により生成された第１の参照信号Ｒ１〜Ｒ４は、リソースマッピング部２１６へ送出される。
【００３９】
さらに、第１制御信号生成部２１３は、第１参照信号生成部２１２により生成された第１の参照信号Ｒ１〜Ｒ４のマッピングに関する第１の制御信号を生成する。第１制御信号生成部２１３により生成された第１の制御信号は、リソースマッピング部２１６へ送出される。
また、第２参照信号生成部２１４は、複数のアンテナ２２２のうち第２のアンテナ（例えば、アンテナ２２２−５〜２２２−ｎ）に対応する第１の参照信号Ｒ５〜Ｒｎを生成する。第２参照信号生成部２１４により生成された第２の参照信号Ｒ５〜Ｒｎは、リソースマッピング部２１６へ送出される。
【００４０】
さらに、第２制御信号生成部２１５は、第２参照信号生成部２１４により生成された第２の参照信号Ｒ５〜Ｒｎのマッピングに関する第２の制御信号を生成する。第２制御信号生成部２１５により生成された第２の制御信号は、リソースマッピング部２１６へ送出される。
そして、リソースマッピング部２１６は、上記ユーザデータ，第１の参照信号，第２の参照信号，第１の制御信号及び第２の制御信号を、制御部２１７からの指示（例えば、スケジューリング情報）に基づいて、リソースにマッピングする。なお、前記リソースは、図１〜図５に例示したように、時間及び周波数から構成されてもよいし、符号，時間，電力及び周波数などの少なくともいずれかから構成されてもよい。
【００４１】
また、リソースマッピング部２１６は、各端末３０及び４０宛の信号を多重してもよい。
制御部２１７は、基地局２０が提供する無線エリア５０内に位置する端末３０及び４０についての端末管理情報などに基づき、上記ユーザデータ，第１の参照信号，第２の参照信号，第１の制御信号及び第２の制御信号のリソースへのマッピングを制御する。
【００４２】
例えば、制御部２１７は、第１のアンテナ（例えば、アンテナ２２２−１〜２２２−４）に対応する第１の参照信号Ｒ１〜Ｒ４を所定単位の第１のリソース（例えば、ＲＢ＃２）及び第２のリソース（例えば、ＲＢ＃１，ＲＢ＃３〜ＲＢ＃Ｎ）にそれぞれマッピングする。さらに、制御部２１７は、第２のアンテナ（例えば、アンテナ２２２−５〜２２２−ｎ）に対応する第２の参照信号Ｒ５〜Ｒｎを第１のリソース（例えば、ＲＢ＃２）にマッピングし第２のリソース（例えば、ＲＢ＃１，ＲＢ＃３〜ＲＢ＃Ｎ）にはマッピングしない。
【００４３】
また、制御部２１７は、端末３０及び４０からフィードバックされる情報に基づいて、プリコーディング処理又はビームフォーミング処理などの各種の処理を行なってもよい。
即ち、処理部２１は、端末３０から受信したチャネル推定結果の結果に基づいて、プリコーディング処理又はビームフォーミング処理を行なう第３の処理部の一例として機能し得る。
【００４４】
一方、送受信部２２は、例えば、処理部２１で生成された無線信号を送信する。
このため、送受信部２２は、例示的に、無線処理部２２１と、複数のアンテナ２２２−１，２２２−２，・・・，２２２−ｎ（ｎは２以上の整数）とをそなえる。なお、以下では、アンテナ２２２−１，２２２−２，・・・，２２２−ｎを区別しない場合、単にアンテナ２２２と表記する。
【００４５】
ここで、無線処理部２２１は、リソースマッピング部２１６によって上記ユーザデータ，第１の参照信号，第２の参照信号，第１の制御信号及び第２の制御信号がマッピングされた信号について、デジタル／アナログ変換及びアップコンバートなどの無線送信処理を施す。無線処理部２２１によって無線送信処理を施された信号は、アンテナ２２２へ送出される。
【００４６】
さらに、無線処理部２２１は、アンテナ２２２を介して端末３０から受信した無線信号について、ダウンコンバート及びアナログ／デジタル変換などの無線受信処理を施すこともできる。無線処理部２２１によって無線受信処理を施された信号は、制御部２１７へ送出される。
また、アンテナ２２２は、無線処理部２２１によって所定の無線処理を施された無線信号を端末３０及び４０へ送信する。
【００４７】
さらに、アンテナ２２２は、端末３０及び４０から送信される無線信号を受信することもできる。アンテナ２２２によって受信された無線信号は、無線処理部２２１へ送出される。
即ち、送受信部２２は、チャネル推定結果の結果を受信する第３の受信部の一例として機能し得る。
【００４８】
また、送受信部２２は、第１のアンテナ（例えば、アンテナ２２２−１〜２２２−４）に対応する第１の参照信号Ｒ１〜Ｒ４を所定単位の第１のリソース（例えば、ＲＢ＃２）及び第２のリソース（例えば、ＲＢ＃１，ＲＢ＃３〜ＲＢ＃Ｎ）にそれぞれマッピングし、第２のアンテナ（例えば、アンテナ２２２−５〜２２２−ｎ）に対応する第２の参照信号Ｒ５〜Ｒｎを第１のリソース（例えば、ＲＢ＃２）にマッピングし第２のリソース（例えば、ＲＢ＃１，ＲＢ＃３〜ＲＢ＃Ｎ）にはマッピングしないで生成された無線信号を送信する送信部の一例として機能する。
【００４９】
これにより、本例では、基地局２０のアンテナ２２２の数が増加しても、アンテナ２２２に対応する参照信号のリソース占有率を大幅に抑制することができる。
（１．４）端末３０の構成例
図８は一実施形態に係る端末３０の構成の一例を示す図である。
この図８に示す端末３０は、前記第１のリソースに対応する第１の受信機の一例として機能し、例示的に、送受信部３１と、処理部３２とをそなえる。
【００５０】
送受信部（第１の受信部）３１は、例えば、基地局２０からの無線信号を受信する。
このため、送受信部３１は、例示的に、複数のアンテナ３１１−１，３１１−２，・・・，３１１−ｍ（ｍは２以上の整数）と、無線処理部３１２とをそなえる。なお、以下では、アンテナ３１１−１，３１１−２，・・・，３１１−ｍを区別しない場合、単にアンテナ３１１と表記する。
【００５１】
アンテナ３１１は、基地局２０から送信される無線信号を受信する。アンテナ３１１によって受信された無線信号は、無線処理部３１２へ送出される。
また、アンテナ３１１は、無線処理部３１２によって所定の無線処理を施された無線信号を基地局２０へ送信することもできる。
無線処理部３１２は、アンテナ３１１を介して基地局２０から受信した無線信号について、ダウンコンバート及びアナログ／デジタル変換などの無線受信処理を施す。無線処理部３１２によって無線受信処理を施された信号は、リソースデマッピング部３２１へ送出される。
【００５２】
また、無線処理部３１２は、後述のチャネル推定部３２５によって生成されるチャネル推定結果について、デジタル／アナログ変換及びアップコンバートなどの無線送信処理を施すこともできる。無線処理部３１２によって無線送信処理を施された信号は、アンテナ３１１へ送出される。
一方、処理部３２は、送受信部３１で受信した無線信号からユーザデータを抽出する。
【００５３】
このため、処理部３２は、例示的に、リソースデマッピング部３２１と、制御信号抽出部３２２と、第１参照信号抽出部３２３と、第２参照信号抽出部３２４と、チャネル推定部３２５と、ユーザデータ抽出部３２６とをそなえる。
制御信号抽出部３２２は、基地局２０から受信した信号から第１の制御信号及び第２の制御信号を抽出する。制御信号抽出部３２２は、例えば、受信した信号中の第１の制御信号及び第２の制御信号の位置に関する既知の情報に基づいて、第１の制御信号及び第２の制御信号を抽出することができる。
【００５４】
リソースデマッピング部３２１は、制御信号抽出部３２２によって抽出された第１の制御信号及び第２の制御信号に基づいて、基地局２０から受信した信号を分離する。
第１参照信号抽出部３２３は、制御信号抽出部３２２によって抽出された第１の制御信号に基づいて、リソースデマッピング部３２１によって分離された信号から第１の参照信号を抽出し、所定の受信処理を施す。
【００５５】
第２参照信号抽出部３２４は、制御信号抽出部３２２によって抽出された第２の制御信号に基づいて、リソースデマッピング部３２１によって分離された信号から第２の参照信号を抽出し、所定の受信処理を施す。
即ち、処理部３２は、受信した無線信号に含まれる第１の参照信号及び第２の参照信号をそれぞれ受信処理する第１の処理部の一例として機能する。
【００５６】
また、チャネル推定部３２５は、第１参照信号抽出部３２３及び第２参照信号抽出部３２４によって抽出された第１の参照信号及び第２の参照信号に基づいて、チャネル推定処理を行なう。また、チャネル推定部３２５は、上記のチャネル推定結果を、送受信部３１を介して基地局２０へフィードバックしてもよい。
ユーザデータ抽出部３２６は、チャネル推定部３２５によって生成されるチャネル推定結果に基づいて、リソースデマッピング部３２１によって分離された信号からユーザデータを抽出し、所定の受信処理を施す。
【００５７】
（１．５）端末４０の構成例
図９は一実施形態に係る端末４０の構成の一例を示す図である。
この図９に示す端末４０は、前記第２のリソースに対応する第２の受信機の一例として機能し、例示的に、送受信部４１と、処理部４２とをそなえる。
送受信部（第２の受信部）４１は、例えば、基地局２０からの無線信号を受信する。
【００５８】
このため、送受信部４１は、例示的に、アンテナ４１１と、無線処理部４１２とをそなえる。
アンテナ４１１は、基地局２０から送信される無線信号を受信する。アンテナ４１１によって受信された無線信号は、無線処理部４１２へ送出される。
また、アンテナ４１１は、無線処理部４１２によって所定の無線処理を施された無線信号を基地局２０へ送信することもできる。
【００５９】
無線処理部４１２は、アンテナ４１１を介して基地局２０から受信した無線信号について、ダウンコンバート及びアナログ／デジタル変換などの無線受信処理を施す。無線処理部４１２によって無線受信処理を施された信号は、リソースデマッピング部４２１へ送出される。
また、無線処理部４１２は、後述のチャネル推定部４２４によって生成されるチャネル推定結果について、デジタル／アナログ変換及びアップコンバートなどの無線送信処理を施すこともできる。無線処理部４１２によって無線送信処理を施された信号は、アンテナ４１１へ送出される。
【００６０】
一方、処理部４２は、送受信部４１で受信した無線信号からユーザデータを抽出する。
このため、処理部４２は、例示的に、リソースデマッピング部４２１と、制御信号抽出部４２２と、第１参照信号抽出部４２３と、チャネル推定部４２４と、ユーザデータ抽出部４２５とをそなえる。
制御信号抽出部４２２は、基地局２０から受信した信号から第１の制御信号を抽出する。制御信号抽出部４２２は、例えば、受信した信号中の第１の制御信号の位置に関する既知の情報に基づいて、第１の制御信号を抽出することができる。
【００６１】
リソースデマッピング部４２１は、制御信号抽出部４２２によって抽出された第１の制御信号に基づいて、基地局２０から受信した信号を分離する。
第１参照信号抽出部４２３は、制御信号抽出部４２２によって抽出された第１の制御信号に基づいて、リソースデマッピング部４２１によって分離された信号から第１の参照信号を抽出し、所定の受信処理を施す。
【００６２】
即ち、処理部４２は、受信した無線信号に含まれる第１の参照信号を受信処理する第２の処理部の一例として機能する。
また、チャネル推定部４２４は、第１参照信号抽出部４２３によって抽出された第１の参照信号に基づいて、チャネル推定処理を行なう。また、チャネル推定部４２４は、上記のチャネル推定結果を、送受信部４１を介して基地局２０へフィードバックしてもよい。
【００６３】
ユーザデータ抽出部４２５は、チャネル推定部４２４によって生成されるチャネル推定結果に基づいて、リソースデマッピング部４２１によって分離された信号からユーザデータを抽出し、所定の受信処理を施す。
以上のように、本例によれば、基地局２０のアンテナ２２２の数が増加しても、アンテナ２２２に対応する参照信号のリソース占有率を大幅に抑制することができる。
【００６４】
〔２〕その他
なお、上述した一実施形態における基地局２０，端末３０及び４０の各構成及び各機能は、必要に応じて取捨選択してもよいし、適宜組み合わせて用いてもよい。即ち、本発明の機能を発揮できるように、上記の各構成及び各機能を取捨選択したり、適宜組み合わせて用いたりしてもよい。
【００６５】
例えば、上述した例では、基地局２０のアンテナ２２２の数ｎが８個又は１６個の場合を例にして本実施形態を説明したが、これはあくまで一例であり、基地局２０のアンテナ数が５基以上であればよい。
なお、アンテナ数が４基以下の基地局２０についても、本発明を適用することができることはいうまでもない。
【符号の説明】
【００６６】
１０  無線通信システム
２０  基地局
２１  処理部
２２  送受信部
３０  端末
３１  送受信部
３２  処理部
４０，４０−１，４０−２  端末
４１  送受信部
４２  処理部
５０  無線エリア
２１１  ユーザデータ生成部
２１２  第１参照信号生成部
２１３  第１制御信号生成部
２１４  第２参照信号生成部
２１５  第２制御信号生成部
２１６  リソースマッピング部
２１７  制御部
２２１  無線処理部
２２２−１，２２２−２，・・・，２２２−ｎ  アンテナ
３１１−１，３１１−２，・・・，３１１−ｍ  アンテナ
３１２  無線処理部
３２１  リソースデマッピング部
３２２  制御信号抽出部
３２３  第１参照信号抽出部
３２４  第２参照信号抽出部
３２５  チャネル推定部
３２６  ユーザデータ抽出部
４１１  アンテナ
４１２  無線処理部
４２１  リソースデマッピング部
４２２  制御信号抽出部
４２３  第１参照信号抽出部
４２４  チャネル推定部
４２５  ユーザデータ抽出部
【図１】
2012063351.tif 000003
【図２】
2012063351.tif 000004
【図３】
2012063351.tif 000005
【図４】
2012063351.tif 000006
【図５】
2012063351.tif 000007
【図６】
2012063351.tif 000008
【図７】
2012063351.tif 000009
【図８】
2012063351.tif 000010
【図９】
2012063351.tif 000011
【手続補正書】
【提出日】平成25年1月24日(2013.1.24)
【手続補正１】
【補正対象書類名】特許請求の範囲
【補正対象項目名】全文
【補正方法】変更
【補正の内容】
【特許請求の範囲】
【請求項１】
複数のアンテナを備え、所定単位のリソース毎にユーザを割り当てた無線信号を送信する送信機と、該無線信号を受信する受信機とを有する無線通信システムにおいて、
前記送信機は、
前記複数のアンテナのうち第１のアンテナに対応する第１の参照信号を前記所定単位の第１のリソース及び第２のリソースにそれぞれマッピングし、前記複数のアンテナのうち第２のアンテナに対応する第２の参照信号を該第１のリソースにマッピングし該第２のリソースにはマッピングしないで生成された無線信号を送信する送信部を備え、
前記第１のリソースに対応する第１の受信機は、
前記無線信号を受信する第１の受信部と、
受信した前記無線信号に含まれる前記第１の参照信号及び前記第２の参照信号をそれぞれ受信処理する第１の処理部とを備え、
前記第２のリソースに対応する第２の受信機は、
前記無線信号を受信する第２の受信部と、
受信した前記無線信号に含まれる前記第１の参照信号を受信処理する第２の処理部とを備えた、ことを特徴とする、無線通信システム。
【請求項２】
前記送信機の前記送信部は、前記第２の参照信号のマッピングに関する制御信号を送信し、
前記第１の受信機の前記第１の受信部は、前記制御信号を受信し、
前記第１の受信機の前記第１の処理部は、前記制御信号に基づいて前記無線信号に含まれる前記第２の参照信号を受信処理する、ことを特徴とする、請求項１記載の無線通信システム。
【請求項３】
前記第１の受信機の前記第１の処理部は、
前記無線信号に含まれる前記第１の参照信号を受信処理し、
受信処理した前記第１の参照信号及び前記第２の参照信号に基づいてチャネル推定を行ない、前記チャネル推定の結果を前記送信機に送信する、ことを特徴とする、請求項２記載の無線通信システム。
【請求項４】
前記送信機は、
前記チャネル推定結果の結果を受信する第３の受信部と、
受信した前記チャネル推定結果の結果に基づいて、プリコーディング処理又はビームフォーミング処理を行なう第３の処理部とを備えた、ことを特徴とする、請求項３記載の無線通信システム。
【請求項５】
複数のアンテナを備え、所定単位のリソース毎にユーザを割り当てた無線信号を送信する送信機において、
前記複数のアンテナのうち第１のアンテナに対応する第１の参照信号を前記所定単位の第１のリソース及び第２のリソースにそれぞれマッピングし、前記複数のアンテナのうち第２のアンテナに対応する第２の参照信号を該第１のリソースにマッピングし該第２のリソースにはマッピングしないで生成された無線信号を送信する送信部を備えた、ことを特徴とする、送信機。
【請求項６】
複数のアンテナを備えた送信機において所定単位のリソース毎にユーザを割り当てられ送信された無線信号を受信する受信機において、
前記送信機から、前記複数のアンテナのうち第１のアンテナに対応する第１の参照信号を前記所定単位の第１のリソース及び第２のリソースにそれぞれマッピングし、前記複数のアンテナのうち第２のアンテナに対応する第２の参照信号を該第１のリソースにマッピングし該第２のリソースにはマッピングしないで生成された無線信号を受信する受信部と、
受信した前記無線信号に含まれる前記第１の参照信号及び第２の参照信号をそれぞれ受信処理する処理部とを備えた、ことを特徴とする、受信機。
【請求項７】
複数のアンテナを備え、所定単位のリソース毎にユーザを割り当てた無線信号を送信する送信機と、該無線信号を受信する受信機とを有する無線通信システムに用いられる無線通信方法において、
前記送信機は、
前記複数のアンテナのうち第１のアンテナに対応する第１の参照信号を前記所定単位の第１のリソース及び第２のリソースにそれぞれマッピングし、前記複数のアンテナのうち第２のアンテナに対応する第２の参照信号を該第１のリソースにマッピングし該第２のリソースにはマッピングしないで生成された無線信号を送信し、
前記第１のリソースに対応する第１の受信機は、
前記無線信号を受信し、
受信した前記無線信号に含まれる前記第１の参照信号及び前記第２の参照信号をそれぞれ受信処理し、
前記第２のリソースに対応する第２の受信機は、
前記無線信号を受信し、
受信した前記無線信号に含まれる前記第１の参照信号を受信処理する、ことを特徴とする、無線通信方法。
【請求項８】
所定単位のリソース毎にユーザを割り当てた無線信号を複数のアンテナを用いて送信する送信方法において、
前記複数のアンテナのうち第１のアンテナに対応する第１の参照信号を前記所定単位の第１のリソース及び第２のリソースにそれぞれマッピングし、前記複数のアンテナのうち第２のアンテナに対応する第２の参照信号を該第１のリソースにマッピングし該第２のリソースにはマッピングしないで生成された無線信号を送信する、ことを特徴とする、送信方法。
【請求項９】
所定単位のリソース毎にユーザを割り当てられ複数のアンテナを用いて送信された無線信号を受信する受信方法において、
送信機から、前記複数のアンテナのうち第１のアンテナに対応する第１の参照信号を前記所定単位の第１のリソース及び第２のリソースにそれぞれマッピングし、前記複数のアンテナのうち第２のアンテナに対応する第２の参照信号を該第１のリソースにマッピングし該第２のリソースにはマッピングしないで生成された無線信号を受信し、
受信した前記無線信号に含まれる前記第１の参照信号及び前記第２の参照信号をそれぞれ受信処理する、ことを特徴とする、受信方法。
【手続補正２】
【補正対象書類名】明細書
【補正対象項目名】００６５
【補正方法】変更
【補正の内容】
【００６５】
例えば、上述した例では、基地局２０のアンテナ２２２の数ｎが８個又は１６個の場合を例にして本実施形態を説明したが、これはあくまで一例であり、基地局２０のアンテナ数が５基以上であればよい。
なお、アンテナ数が４基以下の基地局２０についても、本発明を適用することができることはいうまでもない。
〔３〕付記
以上の実施形態に関し、さらに以下の付記を開示する。
（付記１）
複数のアンテナを備え、所定単位のリソース毎にユーザを割り当てた無線信号を送信する送信機と、該無線信号を受信する受信機とを有する無線通信システムにおいて、
前記送信機は、
前記複数のアンテナのうち第１のアンテナに対応する第１の参照信号を前記所定単位の第１のリソース及び第２のリソースにそれぞれマッピングし、前記複数のアンテナのうち第２のアンテナに対応する第２の参照信号を該第１のリソースにマッピングし該第２のリソースにはマッピングしないで生成された無線信号を送信する送信部を備え、
前記第１のリソースに対応する第１の受信機は、
前記無線信号を受信する第１の受信部と、
受信した前記無線信号に含まれる前記第１の参照信号及び前記第２の参照信号をそれぞれ受信処理する第１の処理部とを備え、
前記第２のリソースに対応する第２の受信機は、
前記無線信号を受信する第２の受信部と、
受信した前記無線信号に含まれる前記第１の参照信号を受信処理する第２の処理部とを備えた、ことを特徴とする、無線通信システム。
（付記２）
前記送信機の前記送信部は、前記第２の参照信号のマッピングに関する制御信号を送信し、
前記第１の受信機の前記第１の受信部は、前記制御信号を受信し、
前記第１の受信機の前記第１の処理部は、前記制御信号に基づいて前記無線信号に含まれる前記第２の参照信号を受信処理する、ことを特徴とする、付記１記載の無線通信システム。
（付記３）
前記第１の受信機の前記第１の処理部は、
前記無線信号に含まれる前記第１の参照信号を受信処理し、
受信処理した前記第１の参照信号及び前記第２の参照信号に基づいてチャネル推定を行ない、前記チャネル推定の結果を前記送信機に送信する、ことを特徴とする、付記２記載の無線通信システム。
（付記４）
前記送信機は、
前記チャネル推定結果の結果を受信する第３の受信部と、
受信した前記チャネル推定結果の結果に基づいて、プリコーディング処理又はビームフォーミング処理を行なう第３の処理部とを備えた、ことを特徴とする、付記３記載の無線通信システム。
（付記５）
複数のアンテナを備え、所定単位のリソース毎にユーザを割り当てた無線信号を送信する送信機において、
前記複数のアンテナのうち第１のアンテナに対応する第１の参照信号を前記所定単位の第１のリソース及び第２のリソースにそれぞれマッピングし、前記複数のアンテナのうち第２のアンテナに対応する第２の参照信号を該第１のリソースにマッピングし該第２のリソースにはマッピングしないで生成された無線信号を送信する送信部を備えた、ことを特徴とする、送信機。
（付記６）
複数のアンテナを備えた送信機において所定単位のリソース毎にユーザを割り当てられ送信された無線信号を受信する受信機において、
前記送信機から、前記複数のアンテナのうち第１のアンテナに対応する第１の参照信号を前記所定単位の第１のリソース及び第２のリソースにそれぞれマッピングし、前記複数のアンテナのうち第２のアンテナに対応する第２の参照信号を該第１のリソースにマッピングし該第２のリソースにはマッピングしないで生成された無線信号を受信する受信部と、
受信した前記無線信号に含まれる前記第１の参照信号及び第２の参照信号をそれぞれ受信処理する処理部とを備えた、ことを特徴とする、受信機。
（付記７）
複数のアンテナを備え、所定単位のリソース毎にユーザを割り当てた無線信号を送信する送信機と、該無線信号を受信する受信機とを有する無線通信システムに用いられる無線通信方法において、
前記送信機は、
前記複数のアンテナのうち第１のアンテナに対応する第１の参照信号を前記所定単位の第１のリソース及び第２のリソースにそれぞれマッピングし、前記複数のアンテナのうち第２のアンテナに対応する第２の参照信号を該第１のリソースにマッピングし該第２のリソースにはマッピングしないで生成された無線信号を送信し、
前記第１のリソースに対応する第１の受信機は、
前記無線信号を受信し、
受信した前記無線信号に含まれる前記第１の参照信号及び前記第２の参照信号をそれぞれ受信処理し、
前記第２のリソースに対応する第２の受信機は、
前記無線信号を受信し、
受信した前記無線信号に含まれる前記第１の参照信号を受信処理する、ことを特徴とする、無線通信方法。
（付記８）
前記送信機は、
前記第２の参照信号のマッピングに関する制御信号を送信し、
前記第１の受信機は、
前記送信機から受信した前記制御信号に基づいて前記無線信号に含まれる前記第２の参照信号を受信処理する、ことを特徴とする、付記７記載の無線通信方法。
（付記９）
前記第１の受信機は、
前記無線信号に含まれる前記第１の参照信号を受信処理し、
受信処理した前記第１の参照信号及び前記第２の参照信号に基づいてチャネル推定を行ない、前記チャネル推定の結果を前記送信機に送信する、ことを特徴とする、付記８記載の無線通信方法。
（付記１０）
前記送信機は、
前記チャネル推定結果の結果を受信し、
受信した前記チャネル推定結果の結果に基づいて、プリコーディング処理又はビームフォーミング処理を行なう、ことを特徴とする、付記９記載の無線通信方法。
（付記１１）
所定単位のリソース毎にユーザを割り当てた無線信号を複数のアンテナを用いて送信する送信方法において、
前記複数のアンテナのうち第１のアンテナに対応する第１の参照信号を前記所定単位の第１のリソース及び第２のリソースにそれぞれマッピングし、前記複数のアンテナのうち第２のアンテナに対応する第２の参照信号を該第１のリソースにマッピングし該第２のリソースにはマッピングしないで生成された無線信号を送信する、ことを特徴とする、送信方法。
（付記１２）
所定単位のリソース毎にユーザを割り当てられ複数のアンテナを用いて送信された無線信号を受信する受信方法において、
送信機から、前記複数のアンテナのうち第１のアンテナに対応する第１の参照信号を前記所定単位の第１のリソース及び第２のリソースにそれぞれマッピングし、前記複数のアンテナのうち第２のアンテナに対応する第２の参照信号を該第１のリソースにマッピングし該第２のリソースにはマッピングしないで生成された無線信号を受信し、
受信した前記無線信号に含まれる前記第１の参照信号及び前記第２の参照信号をそれぞれ受信処理する、ことを特徴とする、受信方法。
【手続補正書】
【提出日】平成25年11月8日(2013.11.8)
【手続補正１】
【補正対象書類名】特許請求の範囲
【補正対象項目名】全文
【補正方法】変更
【補正の内容】
【特許請求の範囲】
【請求項１】
複数のアンテナを備え、所定単位のリソース毎にユーザを割り当てた無線信号を送信する送信機と、該無線信号を受信する受信機とを有する無線通信システムにおいて、
前記送信機は、
前記複数のアンテナのうち第１のアンテナに対応する第１の参照信号を前記所定単位の第１のリソース及び第２のリソースにそれぞれマッピングし、前記複数のアンテナのうち第２のアンテナに対応する第２の参照信号を該第１のリソースにマッピングし該第２のリソースにはマッピングしないで生成された無線信号を送信する送信部を備え、
前記第１のリソースに対応する第１の受信機は、
前記無線信号を受信する第１の受信部と、
受信した前記無線信号に含まれる前記第１の参照信号及び前記第２の参照信号をそれぞれ受信処理する第１の処理部とを備え、
前記第２のリソースに対応する第２の受信機は、
前記無線信号を受信する第２の受信部と、
受信した前記無線信号に含まれる前記第１の参照信号を受信処理する第２の処理部とを備えた、ことを特徴とする、無線通信システム。
【請求項２】
前記送信機の前記送信部は、前記第２の参照信号のマッピングに関する制御信号を送信し、
前記第１の受信機の前記第１の受信部は、前記制御信号を受信し、
前記第１の受信機の前記第１の処理部は、前記制御信号に基づいて前記無線信号に含まれる前記第２の参照信号を受信処理する、ことを特徴とする、請求項１記載の無線通信システム。
【請求項３】
前記第１の受信機の前記第１の処理部は、
前記無線信号に含まれる前記第１の参照信号を受信処理し、
受信処理した前記第１の参照信号及び前記第２の参照信号に基づいてチャネル推定を行ない、前記チャネル推定の結果を前記送信機に送信する、ことを特徴とする、請求項２記載の無線通信システム。
【請求項４】
前記送信機は、
前記チャネル推定の結果を受信する第３の受信部と、
受信した前記チャネル推定の結果に基づいて、プリコーディング処理又はビームフォーミング処理を行なう第３の処理部とを備えた、ことを特徴とする、請求項３記載の無線通信システム。
【請求項５】
複数のアンテナを備え、所定単位のリソース毎にユーザを割り当てた無線信号を送信する送信機において、
前記複数のアンテナのうち第１のアンテナに対応する第１の参照信号を前記所定単位の第１のリソース及び第２のリソースにそれぞれマッピングし、前記複数のアンテナのうち第２のアンテナに対応する第２の参照信号を該第１のリソースにマッピングし該第２のリソースにはマッピングしないで生成された無線信号を送信する送信部を備えた、ことを特徴とする、送信機。
【請求項６】
複数のアンテナを備えた送信機において所定単位のリソース毎にユーザを割り当てられ送信された無線信号を受信する受信機において、
前記送信機から、前記複数のアンテナのうち第１のアンテナに対応する第１の参照信号を前記所定単位の第１のリソース及び第２のリソースにそれぞれマッピングし、前記複数のアンテナのうち第２のアンテナに対応する第２の参照信号を該第１のリソースにマッピングし該第２のリソースにはマッピングしないで生成された無線信号を受信する受信部と、
受信した前記無線信号に含まれる前記第１の参照信号及び第２の参照信号をそれぞれ受信処理する処理部とを備えた、ことを特徴とする、受信機。
【請求項７】
複数のアンテナを備え、所定単位のリソース毎にユーザを割り当てた無線信号を送信する送信機と、該無線信号を受信する受信機とを有する無線通信システムに用いられる無線通信方法において、
前記送信機は、
前記複数のアンテナのうち第１のアンテナに対応する第１の参照信号を前記所定単位の第１のリソース及び第２のリソースにそれぞれマッピングし、前記複数のアンテナのうち第２のアンテナに対応する第２の参照信号を該第１のリソースにマッピングし該第２のリソースにはマッピングしないで生成された無線信号を送信し、
前記第１のリソースに対応する第１の受信機は、
前記無線信号を受信し、
受信した前記無線信号に含まれる前記第１の参照信号及び前記第２の参照信号をそれぞれ受信処理し、
前記第２のリソースに対応する第２の受信機は、
前記無線信号を受信し、
受信した前記無線信号に含まれる前記第１の参照信号を受信処理する、ことを特徴とする、無線通信方法。
【請求項８】
所定単位のリソース毎にユーザを割り当てた無線信号を複数のアンテナを用いて送信する送信方法において、
前記複数のアンテナのうち第１のアンテナに対応する第１の参照信号を前記所定単位の第１のリソース及び第２のリソースにそれぞれマッピングし、前記複数のアンテナのうち第２のアンテナに対応する第２の参照信号を該第１のリソースにマッピングし該第２のリソースにはマッピングしないで生成された無線信号を送信する、ことを特徴とする、送信方法。
【請求項９】
所定単位のリソース毎にユーザを割り当てられ複数のアンテナを用いて送信された無線信号を受信する受信方法において、
送信機から、前記複数のアンテナのうち第１のアンテナに対応する第１の参照信号を前記所定単位の第１のリソース及び第２のリソースにそれぞれマッピングし、前記複数のアンテナのうち第２のアンテナに対応する第２の参照信号を該第１のリソースにマッピングし該第２のリソースにはマッピングしないで生成された無線信号を受信し、
受信した前記無線信号に含まれる前記第１の参照信号及び前記第２の参照信号をそれぞれ受信処理する、ことを特徴とする、受信方法。
【国際調査報告】
2012063351.tif 000012
2012063351.tif 000013